(57)【要約】【課題】コンパクト容器の蓋を開けただけで、袖鏡を開くことなく、鏡を見ることができるようにし、袖鏡を開けば三面鏡等の多面鏡としても使用することのできるコンパクト容器を提供する。【解決手段】コンパクト容器１Ａが、化粧料Ａを収容する容器本体１０、容器本体１０と蝶着している蓋体３０、及び蓋体３０内側に取り付けられた中央鏡２１と袖鏡２２からなる二面鏡２０を備えている。中央鏡２１は蓋体３０の内側面に固着され、袖鏡２２は中央鏡２１の鏡面上をスライド可能に取り付けられ、二面鏡２０を閉じた状態で、中央鏡２１と袖鏡２２がそれぞれの鏡面を同方向に向けている。【選択図】図３Ａ
2008061844.tif 000002
【特許請求の範囲】
【請求項１】
化粧料を収容する容器本体、容器本体と蝶着している蓋体、及び蓋体内側に取り付けられた中央鏡と袖鏡からなる多面鏡を備えたコンパクト容器であって、
袖鏡が中央鏡の鏡面上をスライド可能に取り付けられ、
多面鏡を閉じた状態で、中央鏡と袖鏡がそれぞれの鏡面を同方向に向けて重なるコンパクト容器。
【請求項２】
袖鏡として、中央鏡の鏡面上を互いに反対方向にスライド可能に取り付けられた第１袖鏡と第２袖鏡を有する請求項１記載のコンパクト容器。
【請求項３】
袖鏡が、中央鏡上を摺動する摺動部材に蝶番により取り付けられ、中央鏡と袖鏡との開き角が調整可能となっている請求項１又は２記載のコンパクト容器。
【発明の詳細な説明】
【技術分野】
【０００１】
本発明は、ファンデーション、チーク、アイシャドウ等の化粧料を収容するコンパクト容器に関する。
【背景技術】
【０００２】
ファンデーション、チーク、アイシャドウ等の化粧料を収容するコンパクト容器として、化粧料を収容する容器本体と、容器本体に開閉自在に蝶着された蓋体からなり、蓋体の内側に平面鏡を貼着したものが普及している。また、このようなコンパクト容器であって、蓋体の内側に三面鏡を取り付けたものが提案されている（特許文献１、特許文献２）。
【０００３】
【特許文献１】特開２０００−１７５７３８号公報
【特許文献２】登録実用新案第３０２０８９９号公報
【発明の開示】
【発明が解決しようとする課題】
【０００４】
しかしながら、従来の三面鏡では、閉じたときに中央鏡と袖鏡が対向するように、袖鏡が中央鏡の両側に蝶番で取り付けられるので、袖鏡を開かないと鏡を見ることができない。そのため、１枚の鏡だけで用が足りる場合にも、わざわざ袖鏡を開かなければならないという不便さがあった。
【０００５】
これに対し、本発明は、コンパクト容器の蓋を開けただけで、袖鏡を開くことなく、鏡を見ることができるようにし、袖鏡を開けば三面鏡等の多面鏡としても使用することのできるコンパクト容器を提供することを目的とする。
【課題を解決するための手段】
【０００６】
本発明者は、三面鏡を閉じたときの中央鏡と袖鏡の鏡面を同方向とし、袖鏡が中央鏡の鏡面上をスライドできるようにすると、袖鏡を開くことなく鏡を見ることができ、さらに袖鏡をスライドさせると三面鏡としての効果も得られることを見出した。
【０００７】
即ち、本発明は、化粧料を収容する容器本体、容器本体と蝶着している蓋体、及び蓋体内側に取り付けられた中央鏡と袖鏡からなる多面鏡を備えたコンパクト容器であって、
袖鏡が中央鏡の鏡面上をスライド可能に取り付けられ、
多面鏡を閉じた状態で、中央鏡と袖鏡がそれぞれの鏡面を同方向に向けて重なるコンパクト容器を提供する。
【発明の効果】
【０００８】
本発明のコンパクト容器によれば、多面鏡を閉じた状態で、中央鏡と袖鏡がそれぞれの鏡面を同方向に向けて重なっているので、従前の袖鏡を開くという動作をすることなく、コンパクト容器の蓋を開けただけで、鏡を見ることができる。また、袖鏡をスライドさせることにより、三面鏡その他の多面鏡として使用することもできる。
【０００９】
さらに、コンパクト容器を閉じた状態で、多面鏡の鏡面同士が対向していないので、コンパクト容器を誤って落下させた場合などの衝撃に対して、鏡が割れにくくなる。
【発明を実施するための最良の形態】
【００１０】
以下、図面を参照しつつ、本発明を詳細に説明する。なお、各図中、同一符号は同一又は同等の構成要素を表している。
【００１１】
図１Ａは、本発明の一実施例のコンパクト容器１Ａであって、蓋を閉じた状態の斜視図、図１Ｂはその断面図であり、図２Ａは、蓋を開けた状態の斜視図、図２Ｂはその断面図である。
【００１２】
このコンパクト容器１Ａは、ファンデーション、チーク、アイシャドウ等の化粧料Ａを、詰め替え可能に収容する容器本体１０、二面鏡２０、及び容器本体１０の開口面を開閉自在に覆う蓋体３０からなる。容器本体１０には、化粧料Ａの他、必要に応じてスポンジ２、はけ、ブラシ（図示せず）等の化粧用具が収容されるスペースが設けられる。
【００１３】
この二面鏡２０は中央鏡２１と袖鏡２２からなり、二面鏡を閉じた状態、即ち、中央鏡２１と袖鏡２２が重なり合った状態で、これらの鏡面が同じ向きとなっている。そのため、図２Ａに示すように、コンパクト容器１Ａの蓋体３０を開けると、そのまま袖鏡２２を見ることができる。
【００１４】
蓋体３０は、その下端部で容器本体１０と蝶番を介してつながっている。蓋体３０の内側には、中央鏡２１が接着剤、粘着剤等により固着され、中央鏡２１の上下両側にレール状部分３１が設けられている。
【００１５】
袖鏡２２は、袖鏡用枠体２３に接着剤、粘着剤等により貼着されている。また、蓋体３０内側の上下のレール状部分３１には、摺動部材２４の上下両端部が掛合し、この摺動部材２４に、袖鏡用枠体２３の一端が蝶番ピン２５により取り付けられている。したがって、図３Ａ、図３Ｂ、図３Ｃ、図３Ｄに示すように、摺動部材２４がレール状部分３１を摺動するのに伴い、袖鏡２２は、中央鏡２１の鏡面上をスライドし、上下に重なり合っていた中央鏡２１と袖鏡２２が並置されることとなる。なお、図３Ａ、図３Ｂ、図３Ｃ、図３Ｄでは、化粧料やスポンジ等の記載は省略している。
【００１６】
さらに、摺動部材２４と袖鏡用枠体２３が蝶番ピン２５で蝶着されていることにより、袖鏡２２は中央鏡２１に対して適度な開き角にすることができ、二面鏡として使用することが可能となる。
【００１７】
このように袖鏡２２をスライドさせて中央鏡２１と並置させるに際しては、この並置状態で袖鏡２２の位置が安定するように、図３Ｄに示すように、レール状部分３１にノッチ３２を設けることが好ましい。この他、摺動部材２４にスプリングピンを使用し、レール状部分３１との摩擦力を高めることにより、袖鏡２２を所望のスライド位置に留められるようにしても良い。
【００１８】
摺動部材２４とレール状部分３１とで構成される摺動機構は、本実施例のように中央鏡２１の上下両側に設けることが、袖鏡２２を滑らかにスライドできるようにする点及び摺動機構の強度の点から好ましいが、上端若しくは下端のいずれか一方に設けることも可能である。
【００１９】
また、袖鏡２２を容易にスライドできるようにするため、袖鏡用枠体２３の蝶番ピン２５と反対側端部には、指をかけやすくする凸部２６を設けることが好ましい。
【００２０】
図４Ａは、上述のコンパクト容器１Ａの袖鏡（第１袖鏡２２Ａ）上に、さらに袖鏡（第２袖鏡２２Ｂ）をスライド可能に設けた三面鏡２０Ｂ付きコンパクト容器１Ｂであって、その蓋を開けた状態の斜視図であり、図４Ｂは断面図である。また、図５は、蓋を閉じた状態の断面図である。
【００２１】
このコンパクト容器１Ｂも、中央鏡２１と第１袖鏡２２Ａと第２袖鏡２２Ｂは、それらが重なり合った状態で鏡面が同じ向きとなるように設けられているので、蓋体３０を開けると、そのまま第２袖鏡２２Ｂを見ることができる。
【００２２】
図４Ｂに示すように、蓋体３０の内側には、２重に溝をきったレール状部分３１が設けられており、中央鏡２１側の溝に第１袖鏡用摺動部材２４Ａが掛合し、外側の溝に第２袖鏡用摺動部材２４Ｂが掛合している。そして、第１袖鏡２２Ａと第２袖鏡２２Ｂが、中央鏡２１と重なり合った状態から左右反対側にスライドするように、第１袖鏡用枠体２３Ａは第１袖鏡用摺動部材２４Ａの右側に蝶番ピン２５で取り付けられ、第２袖鏡用枠体２３Ｂは、第２袖鏡用摺動部材２４Ｂの左側に蝶番ピン２５で取り付けられている。
【００２３】
したがって、中央鏡２１と第１袖鏡２２Ａと第２袖鏡２２Ｂが重なり合った状態から、第２袖鏡２２Ｂを図中左側にスライドさせると、図６に示すように、重なり合った中央鏡２１と第１袖鏡２２Ａに対して第２袖鏡２２Ｂが並置され、第２袖鏡２２Ｂを中央鏡２１に対して適度な開き角に調整することにより、このコンパクト容器１Ｂは、二面鏡として使用することが可能となる。さらに、第１袖鏡２２Ａを図中右側にスライドさせると、図７に示すように、第１袖鏡２２Ａも中央鏡２１と並置され、第１袖鏡２２Ａを中央鏡２１に対して適度な開き角に調整することにより、このコンパクト容器１Ｂは、三面鏡として使用することが可能となる。
【産業上の利用可能性】
【００２４】
本発明のコンパクト容器は、ファンデーション、チーク、アイシャドウ等の化粧料を収容する容器として有用である。
【図面の簡単な説明】
【００２５】
【図１Ａ】コンパクト容器１Ａの蓋を閉じた状態の斜視図である。
【図１Ｂ】コンパクト容器１Ａの蓋を閉じた状態の断面図である。
【図２Ａ】コンパクト容器１Ａの蓋を開けた状態の斜視図である。
【図２Ｂ】コンパクト容器１Ａの蓋を開けた状態の断面図である。
【図３Ａ】コンパクト容器１Ａの袖鏡をスライドさせた状態の斜視図である。
【図３Ｂ】コンパクト容器１Ａの袖鏡をスライドさせた状態の断面図である。
【図３Ｃ】コンパクト容器１Ａの袖鏡をスライドさせた状態の断面図である。
【図３Ｄ】コンパクト容器１Ａの袖鏡をスライドさせた状態の断面図である。
【図４Ａ】コンパクト容器１Ｂの蓋を開けた状態の斜視図である。
【図４Ｂ】コンパクト容器１Ｂの蓋を開けた状態の断面図である。
【図５】コンパクト容器１Ｂの蓋を閉じた状態の断面図である。
【図６】コンパクト容器１Ｂの第２袖鏡をスライドさせた状態の斜視図である。
【図７】コンパクト容器１Ｂの第１袖鏡をスライドさせた状態の斜視図である。
【符号の説明】
【００２６】
１Ａ、１Ｂ    コンパクト容器
２      スポンジ
１０      容器本体
２０      二面鏡
２０Ｂ    三面鏡
２１      中央鏡
２２      袖鏡
２２Ａ    第１袖鏡
２２Ｂ    第２袖鏡
２３      袖鏡用枠体
２３Ａ    第１袖鏡用枠体
２３Ｂ    第２袖鏡用枠体
２４      摺動部材
２４Ａ    第１袖鏡用摺動部材
２４Ｂ    第２袖鏡用摺動部材
２５      蝶番ピン
３０      蓋体
３１      レール状部分
３２      ノッチ
Ａ      化粧料
【図１Ａ】
2008061844.tif 000003
【図１Ｂ】
2008061844.tif 000004
【図２Ａ】
2008061844.tif 000005
【図２Ｂ】
2008061844.tif 000006
【図３Ａ】
2008061844.tif 000007
【図３Ｂ】
2008061844.tif 000008
【図３Ｃ】
2008061844.tif 000009
【図３Ｄ】
2008061844.tif 000010
【図４Ａ】
2008061844.tif 000011
【図４Ｂ】
2008061844.tif 000012
【図５】
2008061844.tif 000013
【図６】
2008061844.tif 000014
【図７】
2008061844.tif 000015